(57)【要約】      （修正有）【課題】照明や警告、ブザー及び充電等の機能を有する登山杖構造を提供する。【解決手段】照明回路は、グリップ１０の握り部の先端に位置する照明灯２５に接続され、照明灯２５は、集光笠２５０と握り部の先端を覆う灯笠２５１とが含有され、フラッシュ警告回路は、側辺にある警告灯２６に接続され、警告灯２６は、警告灯笠２６０が含有され、また、警告灯２６の隣にスイッチ２７が設けられ、スイッチ２７の一端が、回路基板２３に接続され、もう一端に、押し部２７０が設けられ、また、握り部のもう一側に、ブザー２８が設けられ、ブザー２８は、回路基板２３のブザー音声回路に接続され、また、回路基板２３の充電回路に、横方向収納槽１１０裏側に位置する貫通穴１１０１に対応する充電ソケット２９が接続される。【選択図】図３
0003122526.tif 000002
【実用新案登録請求の範囲】
【請求項１】
グリップの上方に、手動発電の回路装置が収納されるための、横方向収納槽と上蓋とからなる握り部が形成され、当該手動発電の回路装置に、複数の互に噛合うギアを有するギアバックスがあり、当該ギアバックスの外部にある入力端が、横方向収納槽に嵌設されたクランクハンドルに軸着され、当該ギアバックスの出力端に、発電モータが接続され、また、発電モータが接続される当該ギアバックスに、回路基板が接続され、当該回路基板に、電池セットが接続され、当該回路基板に、照明回路やフラッシュ警告回路、ブザー音声回路及び充電回路が設けられる、
ことを特徴とする登山杖構造。
【請求項２】
当該照明回路は、グリップの握り部の先端にある照明灯に接続され、当該照明灯は、集光笠と、握り部の先端を覆う灯笠とが含有されることを特徴とする請求項１に記載の登山杖構造。
【請求項３】
当該フラッシュ警告回路は、一側にある警告灯に接続され、当該警告灯は、警告灯笠が含有されることを特徴とする請求項１に記載の登山杖構造。
【請求項４】
当該スイッチは、警告灯の隣に位置し、一端が、回路基板に接続され、もう一端に、押し部が設けられることを特徴とする請求項１に記載の登山杖構造。
【請求項５】
当該握り部のもう一側に、ブザーが設けられ、当該ブザーは、回路基板のブザー音声回路に接続されることを特徴とする請求項１に記載の登山杖構造。
【請求項６】
当該回路基板の充電回路は、横方向収納槽の裏側に位置する貫通穴に対応する充電ソケットに接続されることを特徴とする請求項１に記載の登山杖構造。
【請求項７】
グリップの下方に、手動発電の回路装置を有するバックスが設置され、当該バックスが、内外枠体からなり、当該バックスの内側の枠体に、杖に結合するための結合ベースが設けられ、手動発電の回路装置が、当該バックスに収納され、当該手動発電の回路装置に、複数の互に噛合うギアを有するギアバックスがあり、当該ギアバックスの外部にある入力端が、外枠体に嵌設されたクランクハンドルに軸着され、当該ギアバックスの出力端に、発電モータが接続され、また、発電モータが接続される当該ギアバックスに、回路基板が接続され、当該回路基板に、電池セットが接続され、当該回路基板に、照明回路やフラッシュ警告回路、ブザー音声回路及び充電回路が設けられる、
ことを特徴とする登山杖構造。
【請求項８】
当該照明とフラッシュ警告回路は、バックスの先端の一側にある照明灯と警告灯に接続され、当該照明灯と警告灯は、灯笠があることを特徴とする請求項７に記載の登山杖構造。
【請求項９】
当該ブザー音声回路は、バックスの後方の一側にあるブザーに接続されることを特徴とする請求項７に記載の登山杖構造。
【請求項１０】
当該回路基板の充電回路は、内枠体の底部に設けられる貫通穴に対応する充電ソケットに接続されることを特徴とする請求項７に記載の登山杖構造。
【請求項１１】
当該バックスの上方に、スイッチが設けられ、当該スイッチの一端が、回路基板に接続され、もう一端に、押し部が設けられることを特徴とする請求項７に記載の登山杖構造。
【考案の詳細な説明】
【技術分野】
【０００１】
本考案は、登山杖に関し、特に、照明や警告、ブザー及び充電等の機能を有する多機能の登山杖構造に関する。
【背景技術】
【０００２】
一般の登山杖は、ユーザーが握るためのグリップがあり、当該一般の登山杖は、ユーザーに、歩く時、補助の機能だけを提供し、ユーザーが健脚や登山をする時、危険な場面に遭う場合、何の補助も提供できない。
【考案の開示】
【考案が解決しようとする課題】
【０００３】
本考案の目的は、照明や警告、ブザー及び充電等の機能を有する登山杖構造を提供する。
【課題を解決するための手段】
【０００４】
本考案は、上記の目的を達成するために、グリップの一端に、手動発電の回路装置が設けられることにより、ブザーからの音波により蚊除けや犬除け或いる助力を求めることができ、当該充電ソケットにノートパソコンや携帯電話等の電気用品が接続されることにより、電源を供給できる登山杖構造である。
【考案を実施するための最良の形態】
【０００５】
本考案の登山杖構造は、図１〜６のように、主として、当該登山杖のグリップ１０の上方に、手動発電の回路装置２０が収納されるための、横方向収納槽１１０と上蓋１１１とからなる握り部１１が形成され、これにより、当該登山杖のグリップ１０に、照明や警告、ブザー及び充電等の機能が得られ、また、当該手動発電の回路装置２０は、複数の互に噛合うギアを有するギアバックス２１があり、当該ギアバックス２１の外部にある入力端が、横方向収納槽１１０に嵌設されたクランクハンドル２２に軸着され、当該ギアバックス２１の出力端に、発電モータ２１０が接続され、また、発電モータ２１０が接続される当該ギアバックス２１に、回路基板２３が接続され、また、当該回路基板２３に、電池セット２４が接続され、当該電池セット２４は、ニッケル水素蓄電池であり、発電モータ２１０が発生した電気エネルギーを蓄蔵し、また、当該回路基板２３に、照明回路やフラッシュ警告回路、ブザー音声回路及び充電回路が設けられ、本実施例において、当該照明回路は、グリップ１０の握り部１１の先端に位置する照明灯２５に接続され、当該照明灯２５は、集光笠２５０と握り部１１の先端を覆う灯笠２５１とが含有され、当該フラッシュ警告回路は、側辺にある警告灯２６に接続され、当該警告灯２６は、警告灯笠２６０が含有され、また、警告灯２６の隣にスイッチ２７が設けられ、当該スイッチ２７の一端が、回路基板２３に接続され、もう一端に、押し部２７０が設けられ、また、握り部１１のもう一側に、ブザー２８が設けられ、当該ブザー２８は、回路基板２３のブザー音声回路に接続され、また、当該回路基板２３の充電回路に、横方向収納槽１１０裏側に位置する貫通穴１１０１に対応する充電ソケット２９が接続される。
【０００６】
上記の構成により、図３〜５のように、回路基板に接続される、発電モータ２１０を有する当該ギアバックス２１及び電池セット２４が、グリップ１０の握り部１１の横方向収納槽１１０と上蓋１１１との間に設置され、また、照明灯２５の灯笠２５１を握り部１１の先端を覆うように設置し、また、警告灯笠２６０が一側に設けられ、そして、ブザー２８が、横方向収納槽１１０と上蓋１１１のもう一側に係合され、また、当該スイッチ２７の押し部２７０が、互いに係合する横方向収納槽１１０と上蓋１１１との外部に設けられ、また、当該充電ソケット２９は、横方向収納槽１１０の裏側の貫通穴１１０１に対応するように設置され、例えば、携帯電話やノートパソコン等の電気用品の充電に供し、そして、上蓋１１１に嵌設されたクランクハンドル２２が、ギアバックス２１の入力端に軸着される。
【０００７】
使用する時、クランクハンドル３０を取り出して(図６のように)、クランクハンドル３０を回転することにより、ギアバックス２１内の噛合いギアが回転され、そして、発電モータ２１０が駆動されて電気エネルギーを生成し、当該電気エネルギーは、電池セット２４に蓄蔵されて、各素子を駆動するための電源とし、また、ユーザーが当該スイッチ２７の押し部２７０を押して照明灯２５に対して電源を出力すると、照明灯２５が点灯し、当該集光笠２５０の屈折により増強される当該照明灯２５の光が、より遠い処に届き、夜に光が足りない時、道を照明することができ、また、警告灯２６に対して、電源を出力すると、フラッシュにより、他の人がユーザーの位置を知り、また、電源がブザー２８に出力されると、ブザー２８が、音波を生成し、蚊除けや犬除けに利用でき、そして、助力を求めることにも利用できる。
【０００８】
図７と８は、本考案の他の実施例の立体図と立体分解図であり、当該グリップ１０の下方に、手動発電の回路装置５０を有するバックス４０が設置され、本実施例において、当該バックス４０は、内外枠体４１、４２からなり、その内側の枠体４１に、杖６０に結合するための結合ベース４１０が設けられ、これにより、手動発電の回路装置５０がバックス４０に収納され、照明や警告、ブザー及び充電等の機能が得られ、当該手動発電の回路装置５０は、複数の互に噛合うギアを有するギアバックス５１があり、当該ギアバックス５１の外部にある入力端が、外枠体４２に嵌設されたクランクハンドル５２に軸着され、当該ギアバックス５１の出力端に、発電モータ５１０が接続され、また、発電モータ５１０が接続される当該ギアバックス５１に、回路基板５３が接続され、また、当該回路基板５３に、電池セット５４が接続され、当該電池セット５４は、ニッケル水素蓄電池であり、発電モータ５１０が発生した電気エネルギーを蓄蔵し、また、当該回路基板５３に、照明回路やフラッシュ警告回路、ブザー音声回路及び充電回路が設けられ、当該照明とフラッシュ警告回路は、バックス４０の前方にある照明灯５５と警告灯５６とに接続され、当該照明灯５５と警告灯５６は、灯笠４３があり、また、バックス４０の後方に、ブザー５７が設けられ、当該ブザー５７は、回路基板５３のブザー音声回路に接続され、また、バックス４０の上方に、スイッチ５８が設けられ、スイッチ５８の一端が回路基板５３に接続され、もう一端に、押し部５８０が設けられ、また、当該回路基板５３の充電回路に、内枠体４１の底部に形成される貫通穴４１１に対応する充電ソケット５９が接続される。
【０００９】
本考案は、グリップの一端に手動発電の回路装置が設置されて、照明や警告、ブザー及び充電等の機能を有する登山杖であり、夜間或いは光が足りない時に、照明でき、また、当該警告灯の光により、他の人がユーザーの位置を知り、また、ブザーの音波により、蚊除けや犬除けの効果が得られ、また、助力を求める時にも利用でき、また、当該充電ソケットは、電源を供給するために、ノートパソコンや携帯電話等の電気用品が接続されることができる。
【００１０】
本考案は、クランクハンドルにより、発電機を利用して電気エネルギーを生成し、電池の交換が必要しなく、郊外で健脚や登山する時、電源がない場合、クランクハンドルを廻ることにより、各素子を駆動するための電気エネルギーが得られる。
【図面の簡単な説明】
【００１１】
【図１】本考案の実施例の立体図
【図２】本考案の実施例のグリップの立体図
【図３】本考案の実施例のグリップの局部の立体分解図
【図４】本考案の実施例のグリップの立体分解図
【図５】本考案の実施例のグリップの組合せ断面図
【図６】本考案の実施例のグリップの組合せ側面図
【図７】本考案の他の実施例の立体概念図
【図８】本考案の他の実施例の局部の立体分解図
【符号の説明】
【００１２】
１０          グリップ
１１          握り部
１１０        横方向収納槽
１１０１      貫通穴
１１１        上蓋
２０          回路装置
２１          ギアバックス
２２          クランクハンドル
２１０        発電モータ
２３          回路基板
２４          電池セット
２５          照明灯
２５０        集光笠
２５１        灯笠
２６          警告灯
２６０        警告灯笠
２７          スイッチ
２７０        押し部
２８          ブザー
２９          充電ソケット
４０        バックス
４１        内枠体
４１０      結合ベース
４１１      貫通穴
４２        外枠体
４３        灯笠
５０        回路装置
５１        ギアバックス
５１０      発電モータ
５２        クランクハンドル
５３        回路基板
５４        電池セット
５５        照明灯
５６        警告灯
５７        ブザー
５８        スイッチ
５８０      押し部
５９        充電ソケット
６０        杖
【図１】
0003122526.tif 000003
【図２】
0003122526.tif 000004
【図３】
0003122526.tif 000005
【図４】
0003122526.tif 000006
【図５】
0003122526.tif 000007
【図６】
0003122526.tif 000008
【図７】
0003122526.tif 000009
【図８】
0003122526.tif 000010